(57)【要約】【課題】複数の外部入力端子１０を備えたマルチアンプ（オーディオ装置）１では、プリアンプ５３により音量調節される。その音量設定値は音量メモリに記憶され、電源が再投入された場合には前回と同じ音量で音声が再生されるように構成されている。ところが、どの外部入力端子１０から入力される音声信号であっても同じ音量設定値によって音量が決定されるので、各音声信号の音量レベルが違う場合や、音声信号の種類によって音量を変えたい場合などには、外部入力端子１０を切り替える毎に音量を調節しなければならないという煩わしさがあった。【解決手段】音量メモリ５４に複数の外部入力端子１０の各々について専用の音量設定値を音量メモリ５４に記憶させるようにした。【選択図】  図２
2007166557.tif 000002
【特許請求の範囲】
【請求項１】
浴室に設置されたオーディオスピーカを鳴動し得るアンプ部を備えたオーディオ装置であって、複数の外部入力端子を備え、これら複数の外部入力端子から入力される音声信号を、択一的に選択してアンプ部に入力する入力切替手段と、外部からの操作により音量を増減する音量設定手段を備えたものにおいて、上記外部入力端子から入力される音声信号ごとに音量を記憶する音量記憶手段を備え、入力切替手段によりアンプ部に入力される音声信号が切り替えられると、その音声信号について記憶されている音量でオーディオスピーカを鳴動するようにしたことを特徴とするオーディオ装置。
【請求項２】
入力切替手段により切り替えられる音声信号の如何に関わらず、１種類の音量のみを記憶して、いずれの音声信号についても同じ音量でオーディオスピーカを鳴動させるモードに切り替えるモード切替手段を備えたことを特徴とする請求項１に記載のオーディオ装置。
【発明の詳細な説明】
【技術分野】
【０００１】
本発明は、複数の外部入力端子を備え、各外部入力端子から入力される音声信号を切り替えて再生するように構成されたオーディオ装置に関する。
【背景技術】
【０００２】
従来のこの種のオーディオ装置には、イコライザカーブを設定して入力される音声信号の音質を調節する機能を備えているものが知られている（例えば、特許文献１参照）。このものでは、複数の外部入力端子を備えており、各外部入力端子ごとにイコライザカーブを記憶するように構成されている。
【０００３】
また、この種のオーディオ装置には音量を増減する音量設定手段が備えられている。外部からの操作によりオーディオスピーカで発音される音量を増減することができる。そして、ある音量にセットすると、入力される音声信号が切り替えられても、音量設定手段による音量の設定値は変化せず、そのままの状態でオーディオスピーカが鳴動される。
【特許文献１】実用新案登録第２５２９７８０号公報（請求項１、イコライザカーブ記憶部３２）
【発明の開示】
【発明が解決しようとする課題】
【０００４】
上記従来のオーディオ装置では、音量設定手段によって設定される音量はアンプ部での増幅率に相当する。そのため、外部入力端子から入力される音声信号の音量レベルにバラツキがあれば、例えば音量レベルの大きな音声信号から音量レベルの小さな音声信号に切り替えられると、実際に聞こえる音量が小さくなるので、音量設定手段による音量設定値を上げる必要がある。
【０００５】
逆に、音量レベルの小さい音声信号から音量レベルの大きい音声信号に切り替えると急に音量が大きくなったと感じるため、直ちに音量を下げる操作をしなければならない。
【０００６】
一方、各外部入力端子に入力される音声信号の種類によって音量を個別に設定したい場合が生じる。例えば、音声信号として音楽が入力されている場合にはＢＧＭとして発音させたい場合がある。この場合には、音量は比較的小さく設定することが望まれる。これに対して、例えばテレビ音声が入力されている場合には、音量がある程度以上大きくないと、テレビ音声の内容を聞き取ることができない。ところが、上記従来のオーディオ装置では、音量についての設定値を外部入力端子ごとに設定できないので、例えばＢＧＭを再生している状態からテレビ音声の再生に切り替えると、音量を大きくする操作をしなければならないし、逆にテレビ音声を再生していた状態からＢＧＭに切り替えると、音量を下げる操作をしなければならない。
【０００７】
そこで本発明は、上記の問題点に鑑み、上述の不具合が生じないオーディオ装置を提供することを課題とする。
【課題を解決するための手段】
【０００８】
上記課題を解決するために本発明によるオーディオ装置は、浴室に設置されたオーディオスピーカを鳴動し得るアンプ部を備えたオーディオ装置であって、複数の外部入力端子を備え、これら複数の外部入力端子から入力される音声信号を、択一的に選択してアンプ部に入力する入力切替手段と、外部からの操作により音量を増減する音量設定手段を備えたものにおいて、上記外部入力端子から入力される音声信号ごとに音量を記憶する音量記憶手段を備え、入力切替手段によりアンプ部に入力される音声信号が切り替えられると、その音声信号について記憶されている音量でオーディオスピーカを鳴動するようにしたことを特徴とする。
【０００９】
上記構成によれば、音量の設定値を個別に記憶しておくので、再生する外部入力端子を切り替えても、その外部入力端子専用に設置した音量で音声信号が再生される。なお、各音量の設定値は各々外部入力端子を選択した状態で音量設定手段によって変更できる。
【００１０】
なお、このような各外部入力端子ごとの音量の設定が不要な場合には、入力切替手段により切り替えられる音声信号の如何に関わらず、１種類の音量のみを記憶して、いずれの音声信号についても同じ音量でオーディオスピーカを鳴動させるモードに切り替えるモード切替手段を備えればよい。
【発明の効果】
【００１１】
以上の説明から明らかなように、本発明は、各外部入力端子ごとに音量を設定することができるので、例えば各外部入力端子に入力される音声信号の音量レベルにバラツキがあっても、外部入力端子を切り替えても同じ音量で音声信号が再生される。また、各音声信号ごとに個別の音量で再生したい場合には、切り替えるごとに音量を設定し直す操作を行う必要がない。
【発明を実施するための最良の形態】
【００１２】
図１を参照して、１は本発明によるオーディオ装置であるマルチアンプである。このマルチアンプ１には１対のオーディオスピーカ２が接続されており、両オーディオスピーカ２はこのマルチアンプ１から出力される音声信号によって鳴動される。オーディオスピーカ２は浴室ＢＲ内に設置されており、この浴室ＢＲ内に配置されたリモコン１１によってマルチアンプ１の作動が制御される。
【００１３】
マルチアンプ１には本実施の形態では４個の音声信号用の外部入力端子１０が設けられている。浴室ＢＲの壁面に固定されたテレビモニター部３１ａに接続されたチューナ部３１からの音声信号がライン４１を介して外部入力端子１０の内の１つに入力されるように接続されている。残りの外部入力端子１０には各々端子ユニット３２，３３，３４が、各ライン４２，４３，４４を介して接続されている。音声信号はこれら各端子ユニット３２，３３，３４からライン４２，４３，４４を介して各外部入力端子１０に入力される。本実施の形態では、端子ユニット３２にＤＶＤ装置を接続し、端子ユニット３３にＣＤ装置を接続した。
【００１４】
各外部入力端子１０には各々異なる音声信号が入力されるが、どの外部入力端子１０から入力される音声信号を増幅してオーディオスピーカ２を鳴動させるかという、外部入力端子１０の選択はリモコン１１によって行われる。
【００１５】
図２を参照して、マルチアンプ１内には入力切替手段である、切替回路５２が内蔵されている。上記リモコン１１によりある外部入力端子が選択されると、この入力切替手段５２が作動して、４つの外部入力端子１０の内の１つのものから入力される音声信号が選択されて音量設定手段であるプリアンプ５３に入力される。そして、プリアンプ５３で音量が調節された後、メインアンプ５１に音声信号が出力される。このメインアンプ５１から出力される音声信号はオーディオスピーカ２に出力されてオーディオスピーカ２が鳴動する。
【００１６】
プリアンプ５３で音量を調節するが、音量調節操作はリモコン１１を介して行われる。リモコン１１から音量調節用の信号を受信すると、プリアンプ５３から出力される音声信号の音量が増減調節される。そして、その音量の設定値は同時に音量記憶手段である音量メモリ５４に記憶される。例えば、マルチアンプ１の電源スイッチがオンされ、オフの状態からオンの状態になると、プリアンプ５３は音量メモリ５４から、前回電源がオフされた直前の音量設定値を読み出し、その音量設定値に従って音量を調節してメインアンプ５１に音声信号を出力する。そのため、電源をオンにすると、前回電源をオフにした時点と同じ音量でオーディオスピーカ２が鳴動する。
【００１７】
そして、本実施の形態ではこの音量メモリ５４に、４個の外部入力端子１０ごとに音量設定値を記憶するようにした。例えば、ＤＶＤ装置３２ａから音声信号を選択し、テレビモニター部３１ａにＤＶＤの画面を表示させると共にＤＶＤ装置３２ａからの音声信号をオーディオスピーカ３から発音させている状態で、リモコン１１を操作して、ＣＤ装置３３ａからの音声信号に切り替えると、切替回路５２がＣＤ装置３３ａからの音声信号がプリアンプ５３に入力されるように切り替わると共に、プリアンプ５３はＣＤ装置３３ａが接続されている外部入力端子専用に記憶していた音量設定値を読み出し、その音量設定値に従って音量を調節した音声信号をメインアンプ５１に出力する。ＣＤ装置３３ａから入力されている音声信号を再生している状態で音量が変更されると、新たな音量設定値を音量メモリ５４に、ＣＤ装置３３ａ専用の音量設定値として記憶させる。
【００１８】
ところで、上記実施の形態では、４つの外部入力端子１０の各々について音量設定値を記憶させるようにしたが、リモコン１１に隠しコマンドを設定しておき、あるいはマルチアンプ１にディップスイッチなどを設け、４個の外部入力端子１０に共通の音量設定値を用いるモードに切り替えるようにしてもよい。共通の音量設定値を用いるモードでは、音量メモリ５４に記憶されている４つの音量設定値の内、いずれかの音量設定値が更新された場合には、他の音量設定値も同じ値に更新するように構成してもよく、あるいは、４個の音量設定値のうちの１つのもののみを用いるようにして、音量設定値の書き換えやプリアンプ５３からの読み出しもすべて特定の１つの音量設定値を用いるようにしてもよい。
【００１９】
なお、本発明は上記した形態に限定されるものではなく、本発明の要旨を逸脱しない範囲内において種々の変更を加えてもかまわない。
【図面の簡単な説明】
【００２０】
【図１】本発明の一実施の形態の構成を示す図
【図２】マルチアンプの内部構造を示すブロック図
【符号の説明】
【００２１】
１  マルチアンプ
１１  リモコン
２  オーディオスピーカ
５１  メインアンプ
５２  切替回路
５３  プリアンプ
【図１】
2007166557.tif 000003
【図２】
2007166557.tif 000004